(57)【要約】【課題】  マルチメディアメッセージにインデックス値を設定し、該設定されたインデックス値に基づいて前記マルチメディアメッセージをフォワーディングすることで、ＭＭＳユーザエージェントとＭＭＳサーバ間の無線資源の浪費及び不必要なフォワーディング時間を低減し得るようにしたマルチメディアメッセージのフォワーディング方法を提供しようとする。【解決手段】  マルチメディアメッセージにインデックス値を設定する段階と、該設定されたインデックス値に基づいて前記マルチメディアメッセージをフォワーディングする段階と、を順次行うことでマルチメディアメッセージをフォワーディングする。【選択図】図１
2004192649.tif 000002
【特許請求の範囲】
【請求項１】
マルチメディアメッセージにインデックス値を設定する段階と、
該設定されたインデックス値に基づいて前記マルチメディアメッセージをフォワーディングする段階と、
を順次行うことを特徴とするマルチメディアメッセージのフォワーディング方法。
【請求項２】
前記インデックス値は、
前記マルチメディアメッセージを区分するため、前記マルチメディアメッセージのヘッダーに所定ビットに設定されることを特徴とする請求項１記載のマルチメディアメッセージのフォワーディング方法。
【請求項３】
前記インデックス値は、
マルチメディアメッセージングサービス（Ｍｕｌｔｉｍｅｄｉａ  Ｍｅｓｓａｇｉｎｇ  Ｓｅｒｖｉｃｅ；以下、ＭＭＳと略称す）サーバにより“０”を除いた値に設定されることを特徴とする請求項２記載のマルチメディアメッセージのフォワーディング方法。
【請求項４】
前記インデックス値は、
ＭＭＳユーザエージェントにより前記マルチメディアメッセージの内容が変更されたとき、“０”に設定されることを特徴とする請求項２記載のマルチメディアメッセージのフォワーディング方法。
【請求項５】
前記インデックス値は、
前記マルチメディアメッセージがＭＭｂｏｘ（Ｍｕｌｔｉｍｅｄｉａ  Ｍｅｓｓａｇｅ  Ｂｏｘ）から削除されたとき、“０”に設定されることを特徴とする請求項２記載のマルチメディアメッセージのフォワーディング方法。
【請求項６】
マルチメディアメッセージをフォワーディングするＭＭＳユーザエージェントとＭＭＳサーバ間において、
ＭＭＳユーザエージェントが送信しようとするマルチメディアメッセージのヘッダー情報をＭＭＳサーバに伝送する段階と、
該伝送されたヘッダー情報のインデックス値が“０”であるかを判断する段階と、
前記インデックス値が“０”でないとき、該“０”でないインデックス値と一致する前記ＭＭＳサーバのＭＭｂｏｘに格納されたマルチメディアメッセージを検索する段階と、
該検索されたマルチメディアメッセージに受信側の電話番号や住所を設定する段階と、
前記インデックス値が“０”であるマルチメディアメッセージ又は前記受信側の電話番号や住所が設定されたマルチメディアメッセージを受信側のＭＭＳユーザエージェントに送信する段階と、
を順次行うことを特徴とするマルチメディアメッセージのフォワーディング方法。
【請求項７】
前記ヘッダー情報は、
前記マルチメディアメッセージを区分するために設定された所定ビットのインデックス値を包含することを特徴とする請求項６記載のマルチメディアメッセージのフォワーディング方法。
【請求項８】
前記インデックス値は、
前記ＭＭＳサーバにより“０”を除いた値に設定されることを特徴とする請求項７記載のマルチメディアメッセージのフォワーディング方法。
【請求項９】
前記インデックス値は、
前記ＭＭＳユーザエージェントにより前記マルチメディアメッセージの内容が変更されたとき、“０”に設定されることを特徴とする請求項７記載のマルチメディアメッセージのフォワーディング方法。
【請求項１０】
前記インデックス値は、
前記マルチメディアメッセージが前記ＭＭｂｏｘから削除されたとき、“０”に設定されることを特徴とする請求項７記載のマルチメディアメッセージのフォワーディング方法。
【請求項１１】
前記伝送段階は、
前記インデックス値が“０”のとき、該インデックス値が“０”に設定されたマルチメディアメッセージ全体を伝送することを特徴とする請求項６記載のマルチメディアメッセージのフォワーディング方法。
【請求項１２】
前記ＭＭｂｏｘに格納されたマルチメディアメッセージは、
前記ＭＭＳユーザエージェントにより設定された所定格納時間を有することを特徴とする請求項６記載のマルチメディアメッセージのフォワーディング方法。
【請求項１３】
前記ＭＭｂｏｘに格納されたマルチメディアメッセージは、
前記設定された格納時間が経過すると、前記ＭＭｂｏｘから自動に削除されることを特徴とする請求項１２記載のマルチメディアメッセージのフォワーディング方法。
【発明の詳細な説明】
【技術分野】
【０００１】
本発明は、マルチメディアメッセージングサービス（Ｍｕｌｔｉｍｅｄｉａ  Ｍｅｓｓａｇｉｎｇ  Ｓｅｒｖｉｃｅ；以下、ＭＭＳと略称す）に係るもので、詳しくは、マルチメディアメッセージをフォワーディングする方法に関するものである。
【背景技術】
【０００２】
前記ＭＭＳは、ショートメッセージサービス（Ｓｈｏｒｔ  Ｍｅｓｓａｇｅ  Ｓｅｒｖｉｃｅ；ＳＭＳ）より一段階発展したサービスであって、既存の文字メッセージサービスだけでなく、動映像、音楽、グラフィック及び写真などの多様なマルチメディアデータまで送受信し得るメッセージングサービスである。従って、このようなＭＭＳは、今後、全世界的に急成長が予想されている。
【０００３】
一般に、マルチメディアメッセージをフォワーディングするための前提条件は、ＶＡＳＰ（Ｖａｌｕｅ  Ａｄｄｅｄ  Ｓｅｒｖｉｃｅ  Ｐｒｏｖｉｄｅｒ）又は他のＭＭＳユーザから受信されたマルチメディアメッセージが存在すべきであるということである。即ち、ＭＭＳユーザ自身が直接生成したマルチメディアメッセージでなく、他のＭＭＳユーザから受信されたマルチメディアメッセージが存在するということである。
【０００４】
図３は、従来のマルチメディアメッセージの受信方法を示したフローチャートで、図示されたように、まず、ＭＭＳサーバは送信側のＭＭＳユーザエージェントから格納期間が設定されたマルチメディアメッセージを受信する（Ｓ１１）。
【０００５】
次いで、前記ＭＭＳサーバは、前記受信されたマルチメディアメッセージを前記ＭＭＳサーバのＭＭｂｏｘ（Ｍｕｌｔｉｍｅｄｉａ  Ｍｅｓｓａｇｅ  Ｂｏｘ）に格納し（Ｓ１２）、前記受信されたマルチメディアメッセージをＭＭＳユーザエージェントに伝送する（Ｓ１３）。このとき、前記ＭＭＳユーザエージェントが前記ＭＭＳサーバから前記マルチメディアメッセージを受信する間、無線区間に障害が発生して前記マルチメディアメッセージを正しく受信し得ない場合又は前記ＭＭＳユーザエージェントが前記マルチメディアメッセージを後に受信したいことを知らせる場合、前記ＭＭＳサーバは、後に前記マルチメディアメッセージを再伝送するため、前記マルチメディアメッセージを前記予め設定された格納期間の間前記ＭＭｂｏｘに格納する。
【０００６】
次いで、前記設定された格納期間が経過すると、前記ＭＭＳサーバは、前記格納されたマルチメディアメッセージを前記ＭＭｂｏｘから自動に削除し、同様なマルチメディアメッセージが重複して格納されないようにする。このように受信されたマルチメディアメッセージをフォワーディングする方法を図４に基づいて説明する。
【０００７】
図４は、従来のマルチメディアメッセージのフォワーディング方法を示したフローチャートで、図示されたように、まず、前記ＭＭＳユーザエージェントは、前記受信されたマルチメディアメッセージをフォワーディングするため、受信側のＭＭＳユーザエージェントの住所や電話番号を前記マルチメディアメッセージに設定し、前記住所や電話番号が設定されたマルチメディアメッセージを前記ＭＭＳサーバにフォワーディングする（Ｓ２１）。ここで、前記ＭＭＳユーザエージェントは、前記マルチメディアメッセージをフォワーディングするとき、前記マルチメディアメッセージ全体をフォワーディングする。
【０００８】
次いで、前記ＭＭＳサーバは、前記受信されたマルチメディアメッセージを前記ＭＭＳサーバのＭＭｂｏｘに格納し（Ｓ２２）、前記受信されたマルチメディアメッセージを受信側のＭＭＳユーザエージェントが属している受信側のＭＭＳサーバにフォワーディングする（Ｓ２３）。
【０００９】
このようなマルチメディアメッセージのフォワーディング方法においては、前記ＭＭＳユーザエージェントと前記ＭＭＳサーバ間に、必然的に前記マルチメディアメッセージのフォワーディングを必要とする。即ち、前記ＭＭＳユーザエージェントは、前記マルチメディアメッセージをフォワーディングするとき、恒常フォワーディングしようとするマルチメディアメッセージ全体を前記ＭＭＳサーバにフォワーディングする。
【発明の開示】
【発明が解決しようとする課題】
【００１０】
然るに、このような従来のマルチメディアメッセージのフォワーディング方法においては、恒常前記マルチメディアメッセージ全体を伝送するため、前記ＭＭＳユーザエージェントと前記ＭＭＳサーバ間に無線資源の浪費を招くという不都合な点があった。
【００１１】
また、従来のマルチメディアメッセージのフォワーディング方法においては、恒常前記マルチメディアメッセージ全体を伝送するため、前記ＭＭＳユーザエージェントと前記ＭＭＳサーバ間にフォワーディング時間の浪費を招くという不都合な点があった。
【００１２】
更に、前記マルチメディアメッセージは、大概、イメージ、テキスト、サウンドなどの組合により構成される場合、前記マルチメディアメッセージの容量が小さい方であるが、ＭＰＥＧ−４（Ｍｏｔｉｏｎ  Ｐｉｃｔｕｒｅ  Ｅｘｐｅｒｔｓ  Ｇｒｏｕｐ−４）、ｈ．２６３などの動映像が包含される場合は、前記マルチメディアメッセージの容量が相当増加するため、前記無線資源及び前記フォワーディング時間の浪費が一層増加されるという不都合な点があった。
【００１３】
本発明は、このような従来の課題に鑑みてなされたもので、マルチメディアメッセージにインデックス値を設定し、該設定されたインデックス値に基づいて前記マルチメディアメッセージをフォワーディングすることで、ＭＭＳユーザエージェントとＭＭＳサーバ間の無線資源の浪費を低減し得るようにしたマルチメディアメッセージのフォワーディング方法を提供することを目的とする。  
【００１４】
また、本発明の他の目的は、マルチメディアメッセージにインデックス値を設定し、該設定されたインデックス値に基づいて前記マルチメディアメッセージをフォワーディングすることで、ＭＭＳユーザエージェントとＭＭＳサーバ間の不必要なフォワーディング時間を低減し得るようにしたマルチメディアメッセージのフォワーディング方法を提供することにある。
【課題を解決するための手段】
【００１５】
このような目的を達成するため、本発明に係るマルチメディアメッセージのフォワーディング方法においては、マルチメディアメッセージにインデックス値を設定する段階と、該設定されたインデックス値に基づいて前記マルチメディアメッセージをフォワーディングする段階と、を順次行うことを特徴とする。
【００１６】
本発明によるマルチメディアメッセージのフォワーディング方法は、マルチメディアメッセージにインデックス値を設定する段階と、該設定されたインデックス値に基づいて前記マルチメディアメッセージをフォワーディングする段階と、を順次行うことを特徴とし、これにより上記目的を達成する。
【００１７】
前記インデックス値は、前記マルチメディアメッセージを区分するため、前記マルチメディアメッセージのヘッダーに所定ビットに設定されることを特徴としてもよい。
【００１８】
前記インデックス値は、マルチメディアメッセージングサービス（Ｍｕｌｔｉｍｅｄｉａ  Ｍｅｓｓａｇｉｎｇ  Ｓｅｒｖｉｃｅ；以下、ＭＭＳと略称す）サーバにより“０”を除いた値に設定されることを特徴としてもよい。
【００１９】
前記インデックス値は、ＭＭＳユーザエージェントにより前記マルチメディアメッセージの内容が変更されたとき、“０”に設定されることを特徴としてもよい。
【００２０】
前記インデックス値は、前記マルチメディアメッセージがＭＭｂｏｘ（Ｍｕｌｔｉｍｅｄｉａ  Ｍｅｓｓａｇｅ  Ｂｏｘ）から削除されたとき、“０”に設定されることを特徴としてもよい。
【００２１】
本発明によるマルチメディアメッセージのフォワーディング方法は、マルチメディアメッセージをフォワーディングするＭＭＳユーザエージェントとＭＭＳサーバ間において、ＭＭＳユーザエージェントが送信しようとするマルチメディアメッセージのヘッダー情報をＭＭＳサーバに伝送する段階と、該伝送されたヘッダー情報のインデックス値が“０”であるかを判断する段階と、前記インデックス値が“０”でないとき、該“０”でないインデックス値と一致する前記ＭＭＳサーバのＭＭｂｏｘに格納されたマルチメディアメッセージを検索する段階と、該検索されたマルチメディアメッセージに受信側の電話番号や住所を設定する段階と、前記インデックス値が“０”であるマルチメディアメッセージ又は前記受信側の電話番号や住所が設定されたマルチメディアメッセージを受信側のＭＭＳユーザエージェントに送信する段階と、を順次行うことを特徴とし、これにより上記目的を達成する。
【００２２】
前記ヘッダー情報は、前記マルチメディアメッセージを区分するために設定された所定ビットのインデックス値を包含することを特徴としてもよい。
【００２３】
前記インデックス値は、前記ＭＭＳサーバにより“０”を除いた値に設定されることを特徴としてもよい。
【００２４】
前記インデックス値は、前記ＭＭＳユーザエージェントにより前記マルチメディアメッセージの内容が変更されたとき、“０”に設定されることを特徴としてもよい。
【００２５】
前記インデックス値は、前記マルチメディアメッセージが前記ＭＭｂｏｘから削除されたとき、“０”に設定されることを特徴としてもよい。
【００２６】
前記伝送段階は、前記インデックス値が“０”のとき、該インデックス値が“０”に設定されたマルチメディアメッセージ全体を伝送することを特徴としてもよい。
【００２７】
前記ＭＭｂｏｘに格納されたマルチメディアメッセージは、前記ＭＭＳユーザエージェントにより設定された所定格納時間を有することを特徴としてもよい。
【００２８】
前記ＭＭｂｏｘに格納されたマルチメディアメッセージは、前記設定された格納時間が経過すると、前記ＭＭｂｏｘから自動に削除されることを特徴としてもよい。
【発明の効果】
【００２９】
以上説明したように、本発明に係るマルチメディアメッセージのフォワーディング方法においては、マルチメディアメッセージにインデックス値を設定し、該設定されたインデックス値に基づいてマルチメディアメッセージをフォワーディングすることで、ＭＭＳユーザエージェントとＭＭＳサーバ間の無線資源の浪費を低減し得るという効果がある。
【００３０】
また、本発明に係るマルチメディアメッセージのフォワーディング方法においては、マルチメディアメッセージにインデックス値を設定し、該設定されたインデックス値に基づいてマルチメディアメッセージをフォワーディングすることで、ＭＭＳユーザエージェントとＭＭＳサーバ間の不必要なフォワーディング時間を低減し得るという効果がある。
【発明を実施するための最良の形態】
【００３１】
以下、本発明の実施の形態に対し、図面に基づいて説明する。
【００３２】
図１は、本発明に係るマルチメディアメッセージの受信方法を示したフローチャートで、図示されたように、まず、ＭＭＳサーバは、マルチメディアメッセージを受信し（Ｓ３１）、該受信されたマルチメディアメッセージのヘッダーにインデックス値を設定する（Ｓ３２）。
【００３３】
次いで、前記ＭＭＳサーバは、前記インデックス値が設定されたマルチメディアメッセージを前記ＭＭＳサーバのＭＭｂｏｘに格納し（Ｓ３３）、前記インデックス値が設定されたマルチメディアメッセージをＭＭＳユーザエージェントに送信する（Ｓ３４）。
【００３４】
ここで、前記インデックス値は、前記受信されたマルチメディアメッセージを区分するために、前記マルチメディアメッセージに追加された所定ビットの情報領域で、前記マルチメディアメッセージのヘッダーに設定されることが好ましい。且つ、前記インデックス値は、前記ＭＭＳサーバにより“０”を除いた値に設定され、前記インデックス値が“０”であるマルチメディアメッセージは、最初に送信されたマルチメディアメッセージ又は前記ＭＭＳユーザエージェントで内容が変更されたマルチメディアメッセージを示す。
【００３５】
このように前記インデックス値が設定されたマルチメディアメッセージのフォワーディング方法を図２に基づいて説明する。
【００３６】
図２は、本発明に係るマルチメディアメッセージのフォワーディング方法を示したフローチャートで、図示されたように、前記マルチメディアメッセージのフォワーディング方法においては、マルチメディアメッセージをフォワーディングするＭＭＳユーザエージェントとＭＭＳサーバ間において、ＭＭＳユーザエージェントが送信しようとするマルチメディアメッセージのヘッダー情報をＭＭＳサーバに伝送する段階と、該伝送されたヘッダー情報のインデックス値が“０”であるかを判断する段階と、前記インデックス値が“０”でないとき、該“０”でないインデックス値と一致する前記ＭＭＳサーバのＭＭｂｏｘに格納されたマルチメディアメッセージを検索する段階と、該検索されたマルチメディアメッセージに受信側の電話番号や住所を設定する段階と、前記インデックス値が“０”であるマルチメディアメッセージ又は前記受信側の電話番号や住所が設定されたマルチメディアメッセージを受信側のＭＭＳユーザエージェントに送信する段階と、を順次行う。ここで、前記ＭＭＳユーザエージェントは、前記マルチメディアメッセージの内容を変更したとき、前記インデックス値を“０”に設定し、前記インデックス値が“０”に設定されたマルチメディアメッセージ全体を前記ＭＭＳサーバにフォワーディングする。
【００３７】
以下、このような本発明に係るマルチメディアメッセージのフォワーディング方法に対し詳細に説明する。
【００３８】
まず、前記ＭＭＳユーザエージェントは、フォワーディングしようとするマルチメディアメッセージを変更したとき、インデックス値を“０”に設定し、前記インデックス値が“０”に設定されたマルチメディアメッセージ全体を前記ＭＭＳサーバにフォワーディングし、フォワーディングしようとするマルチメディアメッセージを変更しなかったとき、前記マルチメディアメッセージのヘッダー情報のみを前記ＭＭＳサーバに送信する（Ｓ４１）。
【００３９】
次いで、前記ＭＭＳサーバは、前記受信されたマルチメディアメッセージのヘッダーのインデックス値が“０”であるかを判断する（Ｓ４２）。
【００４０】
前記ＭＭＳサーバは、前記インデックス値が“０”でないとき、前記ＭＭｂｏｘに格納されたマルチメディアメッセージから前記“０”でないインデックス値と一致するマルチメディアメッセージを検索し（Ｓ４３）、該検索されたマルチメディアメッセージのヘッダーに受信側の電話番号や住所を設定する（Ｓ４４）。
【００４１】
その後、前記ＭＭＳサーバは、前記受信側の電話番号や住所が設定されたマルチメディアメッセージを受信側のＭＭＳユーザエージェントにフォワーディングする（Ｓ４５）。
【００４２】
反面、前記ＭＭＳサーバは、前記インデックス値が“０”のとき、前記ＭＭＳユーザエージェントから受信された前記インデックス値が“０”であるマルチメディアメッセージを受信側のＭＭＳユーザエージェントにフォワーディングする（Ｓ４５）。
【００４３】
ここで、前記ＭＭｂｏｘにおけるマルチメディアメッセージの格納期間は、送信側のＭＭＳユーザエージェントによって設定される。前記ＭＭＳユーザエージェントは、前記マルチメディアメッセージが受信され、該受信されたマルチメディアメッセージが前記ＭＭｂｏｘに格納された時点を基準に、自身が設定した前記マルチメディアメッセージの格納期間を確認する必要があるが、これは、前記マルチメディアメッセージをフォワーディングする時点で前記ＭＭｂｏｘに格納されたメッセージが削除された可能性があるためである。
【００４４】
従って、前記ＭＭＳユーザエージェントは、前記マルチメディアメッセージの格納期間が経過する場合、フォワーディングしようとするマルチメディアメッセージのヘッダーのインデックス値を“０”に変更しなければならない。
【００４５】
以上説明したように、本発明に係るマルチメディアメッセージのフォワーディング方法においては、マルチメディアメッセージにインデックス値を設定し、該設定されたインデックス値に基づいてマルチメディアメッセージをフォワーディングすることで、ＭＭＳユーザエージェントとＭＭＳサーバ間の無線資源の浪費を低減し得るという効果がある。
【００４６】
また、本発明に係るマルチメディアメッセージのフォワーディング方法においては、マルチメディアメッセージにインデックス値を設定し、該設定されたインデックス値に基づいてマルチメディアメッセージをフォワーディングすることで、ＭＭＳユーザエージェントとＭＭＳサーバ間の不必要なフォワーディング時間を低減し得るという効果がある。
【００４７】
マルチメディアメッセージにインデックス値を設定し、該設定されたインデックス値に基づいて前記マルチメディアメッセージをフォワーディングすることで、ＭＭＳユーザエージェントとＭＭＳサーバ間の無線資源の浪費及び不必要なフォワーディング時間を低減し得るようにしたマルチメディアメッセージのフォワーディング方法を提供しようとする。
【００４８】
マルチメディアメッセージにインデックス値を設定する段階と、該設定されたインデックス値に基づいて前記マルチメディアメッセージをフォワーディングする段階と、を順次行うことでマルチメディアメッセージをフォワーディングする。
【００４９】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【図面の簡単な説明】
【００５０】
【図１】本発明に係るマルチメディアメッセージの受信方法を示したフローチャートである。
【図２】本発明に係るマルチメディアメッセージのフォワーディング方法を示したフローチャートである。
【図３】従来のマルチメディアメッセージの受信方法を示したフローチャートである。
【図４】従来のマルチメディアメッセージのフォワーディング方法を示したフローチャートである。
【図１】
2004192649.tif 000003
【図２】
2004192649.tif 000004
【図３】
2004192649.tif 000005
【図４】
2004192649.tif 000006